(57)【要約】【課題】電池残量が一目瞭然とわかり、しかも見て楽しめる娯楽性を有する表示パネルと、それを具備し、多種多様な携帯式電話機及び携帯式ゲーム機に対応できると共に携帯しての使用に便利な充電器を提供すること。【解決手段】充電器における電池残量を表示する表示パネルであって、その表示手段がＬＣＤであり、電池残量値を多段階の残量値域に区分し、計測された電池残量値が属する残量値域に応じて、その電池残量の大小を示す文様をＬＣＤの点灯によって表示する。その表示パネルを具備した充電器であり、蓄電手段と、その蓄電手段へ電力を入力するＡＣプラグと、蓄電手段から外部へ電力を出力する出力端子とを備える。【選択図】図５
0003152832.tif 000002
【実用新案登録請求の範囲】
【請求項１】
充電器における電池残量を表示する表示パネルであって、
その表示手段がＬＣＤであり、
電池残量値を多段階の残量値域に区分し、計測された電池残量値が属する残量値域に応じて、
その電池残量の大小を示す文様をＬＣＤの点灯によって表示する
ことを特徴とする充電器の表示パネル。
【請求項２】
残量値域が、等しい幅の３〜６段階である
請求項１に記載の充電器の表示パネル。
【請求項３】
電池残量の大小を示す文様が、面積の大小により電池残量の大小を表現する棒グラフであり、その異なる面積の棒指標が残量値域の段階数と同じ数備わる
請求項１または２に記載の充電器の表示パネル。
【請求項４】
電池残量の大小を示す文様が、生体の成長度により電池残量の大小を表現する図柄である
請求項１または２に記載の充電器の表示パネル。
【請求項５】
電池を表現するマークが備わり、充電器の充電中、または、接続した充電対象の外部機器の充電中に点滅する
請求項１ないし４のいずれかに記載の充電器の表示パネル。
【請求項６】
請求項１ないし５のいずれかの表示パネルを具備した充電器であり、
蓄電手段と、その蓄電手段へ電力を入力するＡＣプラグと、蓄電手段から外部へ電力を出力する出力端子とを備える
ことを特徴とする充電器。
【請求項７】
請求項１ないし５のいずれかの表示パネルを具備した充電器であり、
蓄電手段と、その蓄電手段へ電力を入力する入力端子と、蓄電手段から外部へ電力を出力する出力端子とを備える
ことを特徴とする充電器。
【請求項８】
充電器の充電完了時、または、接続した外部機器の充電完了時に、音声または振動によって充電完了を通知する充電完了通知手段を備える
請求項６または７に記載の充電器。
【考案の詳細な説明】
【技術分野】
【０００１】
本考案は、電池残量を表示する表示パネルと、それを備えた充電器に関する。
【背景技術】
【０００２】
携帯式電話機や携帯式ゲーム機の普及により、その充電器の需要が高まっている。特に、多種多様な携帯式電話機及び携帯式ゲーム機に対応でき、携帯可能な充電器は便利ある。しかし、そのような汎用性と携帯性とを兼ね備えた充電器は稀である。
【０００３】
また、充電器の電池残量がわかると、携帯所持する意義の有無や、充電するべき時期の目安になり便利である。しかし、従来の蓄電式の充電器には、電池残量を表示する機能は備わっていなかった。
例えば、特許文献１は、充電状態を示すＬＣＤパネルを備えた充電器に関するものである。
しかし、このような従来の電池残量を示す表示手段は、電池残量が一目瞭然とわかる形態ではなく、単に機能的で、見て楽しめるような娯楽性も全く加味されていなかった。
【先行技術文献】
【特許文献】
【０００４】
【特許文献１】特開２００７−２９５６７７  「充電器」
【特許文献２】特開２００６−２９６０１３  「ニッケル水素／ニッケルカドミウム電池の直列式自動変速充電器」
【特許文献３】特開２００２−２３７８７６  「データ保存機能を備えた携帯電話用の充電器」
【特許文献４】実用新案登録第３０７２７１２号  「複合式充電器」
【考案の開示】
【考案が解決しようとする課題】
【０００５】
そこで、本考案は、電池残量が一目瞭然とわかり、しかも見て楽しめる娯楽性を有する表示パネルと、それを具備し、多種多様な携帯式電話機及び携帯式ゲーム機に対応できると共に携帯しての使用に便利な充電器を提供することを課題とする。
【課題を解決するための手段】
【０００６】
上記課題を達成するため、本考案の充電器の表示パネルは、充電器における電池残量を表示する表示パネルであって、その表示手段がＬＣＤであり、電池残量値を多段階の残量値域に区分し、計測された電池残量値が属する残量値域に応じて、その電池残量の大小を示す文様をＬＣＤの点灯によって表示することを特徴とする。
【０００７】
ここで、残量値域を、等しい幅の３〜６段階、すなわち、３段階なら、０〜３３％、３３〜６７％、６７〜１００％、４段階なら、０〜２５％、２５〜５０％、５０〜７５％、７５〜１００％、５段階なら、０〜２０％、２０〜４０％、４０〜６０％、６０〜８０％、８０〜１００％、６段階なら、０〜１７％、１７〜３３％、３３〜５０％、５０〜６７％、６７〜８３％、８３〜１００％としてもよい。
【０００８】
電池残量の大小を示す文様を、面積の大小により電池残量の大小を表現する棒グラフとし、その異なる面積の棒指標を残量値域の段階数と同じ数設けてもよい。
【０００９】
電池残量の大小を示す文様は、生体の成長度により電池残量の大小を表現する図柄としてもよい。
【００１０】
電池を表現するマークを設け、充電器の充電中、または、接続した充電対象の外部機器の充電中に点滅させてもよい。
【００１１】
本考案の充電器は、上述の表示パネルを具備した充電器であり、蓄電手段と、その蓄電手段へ電力を入力するＡＣプラグと、蓄電手段から外部へ電力を出力する出力端子とを備えることを特徴とする。
【００１２】
また同様に、上述の表示パネルを具備した充電器に、蓄電手段と、その蓄電手段へ電力を入力する入力端子と、蓄電手段から外部へ電力を出力する出力端子とを設けて充電器を構成してもよい。
【００１３】
充電器の充電完了時、または、接続した充電対象の外部機器の充電完了時に、音声または振動によって充電完了を通知する充電完了通知手段を設けてもよい。
【考案の効果】
【００１４】
本考案の表示パネルによると、電池残量の大小を示す棒グラフや図柄により、電池残量が一目瞭然とわかると共に見て楽しめる利点がある。また、これを具備した本考案の充電器によると、家庭のＡＣタップで充電して携帯使用でき、出力端子に適宜アダプターを接続して多種多様な携帯式電話機及び携帯式ゲーム機に対応できる。
【図面の簡単な説明】
【００１５】
【図１】本考案による充電器の正面図
【図２】同、背面図
【図３】ＡＣプラグの使用状態を示す背面斜視図
【図４】充電器を充電対象の外部機器に接続する様態を示す説明図
【図５】表示パネルでの表示内容を示す説明図
【図６】別実施例の表示内容を示す説明図
【考案を実施するための最良の形態】
【００１６】
以下に、本考案の実施形態を図面に基づいて説明する。ここでは、略直方体の薄い充電器を例示するが、形状や基本機能は適宜設計変更可能である。
【００１７】
図１及び２は、本考案による充電器の正面図及び背面図であり、図３は、ＡＣプラグを使用する状態を示す背面斜視図である。
充電器には、リチウムイオン電池等の蓄電手段と、その蓄電手段へ電力を入力するＡＣプラグ（１０）と、蓄電手段から外部へ電力を出力する出力端子（２０）と、操作ボタン（２１）と、ＬＣＤの表示パネル（３０）と、それらの制御回路が備わる。
【００１８】
ＡＣプラグ（１０）は、携帯所持の邪魔にならないように、不使用時は図２のように本体に没入している。
使用時は、基部（１１）を回動自在に支持する支軸（１２）を軸にして、９０°回転させることで、図３のように本体から突出させられる。
【００１９】
また、ＡＣプラグ（１０）の代わりに、外部から電力を入力する入力端子を設けてもよい。その入力端子としては、ＵＳＢ端子やピン端子や携帯電話機接続端子などが挙げられる。なお、そのような端子に、ケーブルを付設して構成してもよい。
【００２０】
図４は、充電器を充電対象の外部機器に接続する様態を示す説明図である。
出力端子（２０）としてはＵＳＢ端子が用いられ、ミニＵＳＢ端子に変換するケーブル（４０）が接続される。
そのケーブル（４０）のミニＵＳＢ端子（４１）には、アダプタ（４２）を介して、充電対象の外部機器（５０）が接続される。
これにより、アダプタ（４２）を交換することで、多種多様の携帯式電話機や携帯式ゲーム機などに充電可能となる。
【００２１】
なお、出力端子（２０）にミニＵＳＢ端子やピン端子を用いてもよいし、ケーブル（４０）とアダプタ（４２）とを一体化させて構成してもよい。
【００２２】
操作ボタン（２１）はプッシュ式であり押し込むことで、充電対象の機器（５０）への電力出力が開始される。なお、スライド式やダイアル式など従来公知のボタンも使用可能である。
【００２３】
充電対象の外部機器（５０）の充電完了時に、アラーム等の音声や本体の振動によって充電完了を通知する構成を付設してもよい。
同様に、充電器の充電完了時にも、アラーム等の音声や本体の振動によって充電完了を通知する構成を付設してもよい。
【００２４】
図５は、表示パネルでの表示内容を示す説明図である。
本実施例の表示パネル（３０）では、充電器における電池残量の大小を示す文様として棒グラフが用いられている。棒グラフ等の表示内容は、ＬＣＤの点灯によって表示される。
電池残量値は、図示の例では、０〜２０％、２０〜４０％、４０〜６０％、６０〜８０％、８０〜１００％の５段階の値域に区分され、それぞれ対応する残量目安値（３１）である２０、４０、６０、８０、１００と、面積の大小する棒指標（３２）とが記されている。
【００２５】
電池残量値は、３、４、６段階などでもよく、例えば、３段階なら、０〜３３％、３３〜６７％、６７〜１００％、４段階なら、０〜２５％、２５〜５０％、５０〜７５％、７５〜１００％、６段階なら、０〜１７％、１７〜３３％、３３〜５０％、５０〜６７％、６７〜８３％、８３〜１００％（値は小数点以下を四捨五入）とできる。
【００２６】
そして、計測された電池残量値が属する残量値域に応じて、棒指標（３２）が表示される。例えば、計測された電池残量値が５０％なら、４０〜６０％の残量値域に属するので、４０〜６０％の残量目安値（３１）である６０に対応する棒指標（３２）が表示される。なお、残量目安値（３１）が６０に対応する棒指標（３２）の１本のみを表示させてもよいし、残量目安値（３１）が２０、４０、６０に対応する棒指標（３２）の３本を表示させてもよい。
【００２７】
また、電池残量の大小を示す文様は、棒グラフに限らず、円グラフや折れ線グラフなどでもよく、大小を段階的に表現可能な表示が適宜利用できる。
【００２８】
図６は、別実施例の表示内容を示す説明図である。
本実施例では、電池残量の大小を示す文様として、生体の成長度により電池残量の大小を表現する図柄が用いられている。
すなわち、残量目安値（３１）である２０、４０、６０、８０、１００にそれぞれ応じて、卵、割れた卵、ヒヨコ、成鳥のニワトリ、羽ばたいて飛び立とうとするニワトリの図柄（３３）を表示する。
このように生体の成長度により電池残量の大小を表現する例としては、人に関して、妊婦・あかちゃん・ランドセルを背負った小学生・制服姿の中高生・スーツ姿の成人の５段階表示や、蝶に関して、卵・割れた卵・幼虫・サナギ・成虫の蝶の５段階表示や、植物に関して、種子・発芽・成長した茎葉・つぼみ・開花の５段階表示などが挙げられる。
【００２９】
各段階に達するたびに、音声を出力させてもよい。
例えば、図６に示したニワトリの図柄（３３）の場合なら、割れた卵の段階では、卵が割れる音、ヒヨコの段階ではピヨピヨ鳴く声、成鳥のニワトリの段階ではコケコッコと鳴く声、羽ばたいて飛び立とうとするニワトリの段階では勢いよくコケコッコと鳴く声及び羽ばたきの音などが使用可能である。
【００３０】
また、表示パネル（３０）には、電池の形状を表現するマーク（３４）が備わり、充電器の充電中、または、接続した充電対象の外部機器（５０）の充電中に点滅する。マーク（３４）は、充電器の充電完了時に点灯させてもよい。
操作ボタン（２１）を押した際に、バックライトを点灯させて表示パネル（３０）に照明を加えてもよい。
【産業上の利用可能性】
【００３１】
本考案の表示パネルは、電池残量一目瞭然とわかると共に見て楽しめる利点がある。また、本考案の充電器は、家庭等のＡＣタップで容易に充電して携帯でき、多種多様な携帯式電話機及び携帯式ゲーム機に対応できるので、産業上利用価値が高い。
【符号の説明】
【００３２】
１０  ＡＣプラグ
１１  基部
１２  支軸
２０  出力端子
２１  操作ボタン
３０  表示パネル
３１  残量目安値
３２  棒指標
３３  生体の図柄
３４  電池のマーク
４０  ケーブル
４１  ミニＵＳＢ端子
４２  アダプタ
５０  充電対象の外部機器
【図１】
0003152832.tif 000003
【図２】
0003152832.tif 000004
【図３】
0003152832.tif 000005
【図４】
0003152832.tif 000006
【図５】
0003152832.tif 000007
【図６】
0003152832.tif 000008